(57)【要約】【課題】  玄関等の施設外に設置された玄関子機に放送を報音する機能及び応答機能を設けて、玄関子機から応答することができる業務用インターホンシステムを提供する。【解決手段】  制御機３は、居室親機２の放送操作を受けて玄関子機１、他の居室親機２そして放送用スピーカ４に放送開始信号を送信する。玄関子機１及び他の居室親機２は、放送開始信号を受けて、送話部１２、２２を能動状態として放送を可能とし、その後呼出ボタン１１が操作されたら子機ＣＰＵ１７が玄関子機１が内蔵する受話部１３を能動として応答信号を制御機３に出力し、制御機３が玄関子機１と放送元の居室親機２との間の通話路を形成する。【選択図】  図１
2011097282.tif 000002
【特許請求の範囲】
【請求項１】
事務所や工場等の施設の玄関に設置され、訪問者が施設関係者を呼び出して通話するための玄関子機と、前記施設内に設置されて前記玄関子機からの呼び出しに応答するための居室親機とを有し、且つ前記玄関子機及び居室親機のうち少なくとも一方を複数備え、前記玄関子機と前記居室親機の間の通信を制御する制御機を有し、更に前記制御機に放送用スピーカが接続されて前記居室親機から前記放送用スピーカを使用する放送を行う機能を備えた業務用インターホンシステムであって、
前記制御機は、前記居室親機の放送操作を受けて前記玄関子機、及び他の居室親機が接続されている場合は他の居室親機に放送開始信号を送信すると共に、前記放送用スピーカを能動状態とし、
前記玄関子機は、前記放送開始信号を受けて、前記放送操作された居室親機から送信された音声を玄関子機が内蔵する送話部から報音する放送モードへ移行する子機制御部を有し、
前記子機制御部は、更に放送モードへ移行後に来訪者が呼出操作するための呼出ボタンが操作されたら、玄関子機が内蔵する受話部を能動として放送元の前記居室親機との通話路を形成する制御を行うことを特徴とする業務用インターホンシステム。
【請求項２】
前記玄関子機は、放送開始信号を受信したら所定時間のカウントを開始するタイマを有し、
前記子機制御部は、前記タイマがカウントアップしたら、前記呼出ボタンが操作されても前記通話路形成制御を実施しないことを特徴とする請求項１記載の業務用インターホンシステム。
【請求項３】
前記玄関子機は、前記呼出ボタン操作により前記居室親機と通話路を形成したら、通話路が形成されたことを表示する表示部を備えたことを特徴とする請求項１又は２記載の業務用インターホンシステム。
【発明の詳細な説明】
【技術分野】
【０００１】
本発明はインターホンシステムに関し、特に放送機能を備えた業務用インターホンシステムに関する。
【背景技術】
【０００２】
インターホンシステムにおいて、放送機能を備えたものに特許文献１に記載されたシステムがある。これは、エントランスに設置されて居室親機を選択して呼び出すための集合玄関機や、管理室に設置されて居室親機等と通話するための管理室親機を備えた集合住宅インターホンシステムであって、管理室親機から居室親機に対して一斉放送が可能となっている。
一方で、玄関に設置される玄関子機と施設内に設置される複数の居室親機とを有し、居室親機から放送による呼び出しが実施されると、他の居室親機で応答操作できる業務用インターホンシステムがある（例えば、非特許文献１参照）。
【先行技術文献】
【特許文献】
【０００３】
【特許文献１】特開２００９−３８４４１号公報
【非特許文献】
【０００４】
【非特許文献１】アイホン株式会社発行  「２００８−２００９総合カタログ」  ｐ．５３０−５３５
【発明の概要】
【発明が解決しようとする課題】
【０００５】
上記特許文献１の集合住宅インターホンシステムは、居室親機から放送が報音されるが、集合玄関に設置された集合玄関機や住戸毎に設置された玄関子機から放送が報音されることはなかった。また、業務用インターホンシステムにおいても、玄関子機から放送が報音されることはなかった。
しかしながら、学校や工場等においては、玄関付近等の施設建屋外に呼出対象の人物（以下、「被呼者」とする。）が出ている場合があり、この場合放送に気づかない場合があった。また、施設外に放送用スピーカを設置して、外にいる関係者がその呼び出しに気づくようにしても、施設外から応答する手段が無かったため、応答することができなかった。
【０００６】
そこで、本発明はこのような問題点に鑑み、玄関等の施設外に設置された玄関子機に放送を報音する機能及び応答機能を設けて、玄関子機から応答することができる業務用インターホンシステムを提供することを目的としている。
【課題を解決するための手段】
【０００７】
上記課題を解決する為に、請求項１の発明は、事務所や工場等の施設の玄関に設置され、訪問者が施設関係者を呼び出して通話するための玄関子機と、施設内に設置されて玄関子機からの呼び出しに応答するための居室親機とを有し、且つ玄関子機及び居室親機のうち少なくとも一方を複数備え、玄関子機と居室親機の間の通話路を制御する制御機を有し、更に制御機に放送用スピーカが接続されて居室親機から放送用スピーカを使用する放送を行う機能を備えた業務用インターホンシステムであって、制御機は、居室親機の放送操作を受けて玄関子機、及び他の居室親機が接続されている場合は他の居室親機に放送開始信号を送信すると共に、放送用スピーカを能動状態とし、玄関子機は、放送開始信号を受けて、放送操作された居室親機から送信された音声を玄関子機が内蔵する送話部から報音する放送モードへ移行する子機制御部を有し、子機制御部は、更に放送モードへ移行後に来訪者が呼出操作するための呼出ボタンが操作されたら、玄関子機が内蔵する受話部を能動として放送元の居室親機との通話路を形成する制御を行うことを特徴とする。
この構成によれば、放送用スピーカに加えて玄関に設置された玄関子機からも放送を報音するため、放送の被呼者が施設外にいて放送用スピーカからの放送が聞き取りにくい状況であっても呼び出しを認識し易いし、玄関子機から応答することができるので、便利である。
【０００８】
請求項２の発明は、請求項１に記載の構成において、玄関子機は、放送開始信号を受信したら所定時間のカウントを開始するタイマを有し、子機制御部は、タイマがカウントアップしたら、呼出ボタンが操作されても通話路形成制御を実施しないことを特徴とする。
この構成によれば、所定時間を超えたら玄関子機から応答することができなくなる。よって、放送後しばらく経ってから来訪者が呼出操作した場合に呼出動作しない等の誤操作を防ぐことができる。
【０００９】
請求項３の発明は、請求項１又は２に記載の構成において、玄関子機は、呼出ボタン操作により居室親機と通話路を形成したら、通話路が形成されたことを表示する表示部を備えたことを特徴とする。
この構成によれば、応答操作により通話路が形成されたことが表示されるので、玄関子機を操作した人物は安心して応答することができる。
【発明の効果】
【００１０】
本発明によれば、放送用スピーカに加えて玄関に設置された玄関子機からも放送を報音するため、放送の被呼者が施設外にいて放送用スピーカからの放送が聞き取りにくい状況であっても呼び出しを認識し易いし、玄関子機から応答することができるので、便利である。
【図面の簡単な説明】
【００１１】
【図１】本発明に係る業務用インターホンシステムの一例を示すブロック図である。
【発明を実施するための形態】
【００１２】
以下、本発明を具体化した実施の形態を、図面に基づいて詳細に説明する。図１は、本発明に係る業務用インターホンシステムの一例を示すブロック図であり、１は事務所や学校、工場等の施設の玄関に設置され、訪問者が施設関係者を呼び出して通話するための玄関子機、２は施設内に設置されて玄関子機１からの呼び出しに応答するための居室親機、３は機器間の通話路を制御する制御機、４は放送する際に使用する放送用スピーカである。玄関子機１、２台の居室親機２、及び放送用スピーカ４は、夫々伝送線Ｌ１，Ｌ２，Ｌ３により制御機３に接続されている。
【００１３】
玄関子機１は、訪問者が職員等の施設関係者を呼び出す為の呼出ボタン１１、通話するためのスピーカを備えた送話部１２、通話のためのマイクを備えた受話部１３、この送話部１２及び受話部１３を制御する通話部１４、玄関子機１の状態を表示するＬＥＤ等を備えた表示部１５、例えば６０秒等の所定の時間をカウントするタイマ１６、玄関子機１全体を制御する子機ＣＰＵ１７、制御機３と通信するための子機通信部１８等を備えている。
【００１４】
居室親機２は、応答操作や放送操作を行うための操作部２１、通話するためのスピーカを備えた送話部２２、通話するためのマイクを備えた受話部２３、この送話部２２及び受話部２３を制御する通話部２４、操作部２２の操作内容や居室親機２の状態を表示するＬＣＤ等から成る表示部２５、居室親機２全体を制御する親機ＣＰＵ２６、制御機３と通信するための親機通信部２７等を備えている。
【００１５】
制御機３は、接続された機器からの呼出信号や放送開始信号等を受けて機器間の通話路の接続／切断を行う制御機通信部３１、放送用スピーカ４に放送音声信号を送信する放送部３２、制御機３全体を制御する制御機ＣＰＵ３３等を備えている。
【００１６】
このように構成されたシステムは次のように動作する。まず、来訪者等により玄関子機１の呼出ボタン１１が操作された場合のインターホン本来の動作を簡単に説明する。呼出ボタン１１が押下されたら、子機ＣＰＵ１７は呼出信号を生成して制御機３に送信する。呼出信号を受信した制御機３は、制御機ＣＰＵ３３が制御機通信部３１を介して接続されている２台の居室親機２に対して呼出信号を送信する。この呼出信号を受信した居室親機２は、親機ＣＰＵ２６が通話部２４を制御して、送話部２２から呼出音を報音する。
呼び出しを認識した施設関係者が、居室親機２の操作部２１を応答操作すると、制御機３が玄関子機１と応答操作した居室親機２の間で通話路を形成し、玄関子機１と居室親機２の間で通話が可能となる。
この通話路は、居室親機２の所定の終話操作により遮断され、呼び出しを待つ当初の待受状態に戻る。
【００１７】
次に、放送による呼び出しを行った場合の動作を説明する。職員等により居室親機２の操作部２１が所定の放送操作されると、親機ＣＰＵ２６が放送開始信号を生成し、親機通信部２７を介して制御機３へ伝送される。
制御機通信部３１で放送開始信号を受信した制御機３は、制御機ＣＰＵ３３が放送開始信号を玄関子機１及び他の居室親機２へ伝送する。合わせて、制御機通信部３１を制御して、放送元の居室親機２と玄関子機１及び他の居室親機２の間の制御機３内の通話路を形成し、放送部３２を起動して放送用スピーカ４を放送状態とする。
【００１８】
子機通信部１８で放送開始信号を受信した玄関子機１は、子機ＣＰＵ１７が通話部１４を制御して送話部１２を能動とし、子機通信部１８と送話部１２の間の通話路を形成し、居室親機２から伝送された音声を放送する放送モード状態となる。また、子機ＣＰＵ１７は、タイマ１６をスタートさせると共に、放送モードに移行して玄関子機１から応答可能であることを表示部１５にて表示させる。この時、例えば表示部１５は青色ＬＥＤを点滅させてこの状態を表示する。
また、親機通信部２７で放送開始信号を受信した他の居室親機２は、親機ＣＰＵ２６が通話部２４を制御して送話部２２を能動として親機通信部２７と送話部２２の間の通話路を形成する。
【００１９】
一方、制御機３から放送開始信号を親機通信部２７で受信した放送元の居室親機２は、親機ＣＰＵ２６が予告音を生成して通話部２４、親機通信部２７を介して制御機３に伝送する。また、通話部２４を制御して受話部２３を能動とし、受話部２３から親機通信部２７までの通話路を形成する。
伝送された予告音は、制御機３を介して通話路が形成された玄関子機１及び他の居室親機２へ伝送され、夫々の機器で報音される。また、予告音は放送部３２へ送信されて放送用スピーカ４から報音される。その後、放送操作者が放送する音声が報音される。
【００２０】
被呼者が施設外であっても玄関の近くにいる場合は、玄関子機１からの放送により呼び出しを認識でき、応答操作が行われることになる。この時、玄関子機１の表示部１５は青色ＬＥＤが点滅状態にあり、被呼者は呼出ボタン１１操作で応答が可能であることがわかる。玄関子機１の呼出ボタン１１が押下されて応答操作が行われると、子機ＣＰＵ１７は応答信号を生成して子機通信部１８を介して制御機３へ伝送する。
但し、タイマ１６がカウントアップしたら、子機ＣＰＵ１７は表示部１５の青色ＬＥＤの点滅を停止させて放送モード状態を解除する。その結果、呼出ボタン１１が操作されても応答信号を生成せず、呼出ボタン１１が操作されたら呼出信号を生成する通常状態に移行する。
【００２１】
応答信号を受信した制御機３は、制御機ＣＰＵ３３が制御機通信部３１を制御して、他の居室親機２との間に形成した通話路を遮断し、放送部３２をオフ制御して放送用スピーカ４の報音を停止する。同時に、応答操作した玄関子機１と放送操作した居室親機２との間の通話路を形成するために双方に通話路形成信号を伝送する。
【００２２】
通話路形成信号を受信した放送元の居室親機２は、親機ＣＰＵ２６が通話部２４を制御して送話部２２を能動として、玄関子機１からの音声が送話部２２から報音できるよう親機通信部２７と送話部２２の間の通話路を形成すると共に、表示部２５にて通話状態となったことを表示する。
【００２３】
一方、通話路形成信号を受信した玄関子機１は、子機ＣＰＵ１７が通話部１４を制御して受話部１３を能動として、受話部１３からの音声を居室親機２へ伝送できるよう受話部１１と子機通信部の間の通話路を形成すると共に、表示部１５にて通話状態となったことを表示する。例えば、表示部１５は赤色ＬＥＤの点滅表示を行い、応答可能な状態から通話状態へ移行したことを表示する。
【００２４】
このように、放送用スピーカ４に加えて玄関に設置された玄関子機１からも放送を報音するため、放送の被呼者が施設外にいて放送用スピーカ４からの放送が聞き取りにくい状況であっても呼び出しを認識し易いし、玄関子機１から応答することができるので、便利である。
そして、放送を開始してから所定時間を超えたら玄関子機１から応答することができなくなるので、放送後しばらく経ってから来訪者が呼出操作した場合に呼出動作しない等の誤操作を防ぐことができる。
また、玄関子機１の表示部１５は、呼び出しを受けて玄関子機１の呼出ボタン１１が押下されて通話路が形成されたらそれを表示するので、応答操作した人は安心して応答することができるし、応答操作する際も応答操作可能であることを表示するので、タイマ１６がタイムアップしていないことを認識でき、安心して操作できる。
【００２５】
尚、上記実施形態では、１台の玄関子機１、２台の居室親機２、１台の放送用スピーカ備えたシステムとしているが、玄関子機１は複数であっても良いし、居室親機２は更に多くても良いし１台であっても良い。また、放送用スピーカ４も複数設置しても良い。但し、玄関子機１や居室親機２等の通話するための機器は、合わせて３台以上設置された場合に本発明は効果的に機能する。
【符号の説明】
【００２６】
１・・玄関子機、２・・居室親機、３・・制御機、４・・放送用スピーカ、１１・・呼出ボタン、１５・・表示部、１６・・タイマ、１７・・子機ＣＰＵ（子機制御部）、２１・・操作部、２６・・親機ＣＰＵ。
【図１】
2011097282.tif 000003